(57)【要約】【課題】発光ダイオード制御回路を提供する。【解決手段】本考案が提供する発光ダイオード制御回路は、発光ダイオード回路と制御回路を含む。発光ダイオード回路は、発光ダイオード及び発光ダイオードと相互に接続するフィールドエフェクト管を有する。制御回路は、マイクロ制御器とマイクロ制御器と相互に接続し、発光ダイオード付近に設置される温度センサを有し、該マイクロ制御器と前記フィールドエフェクト管は相互に接続し、フィールドエフェクト管を制御し、前記温度センサは、発光ダイオードの温度をセンサし、その後、温度信号をマイクロ制御器に伝送し、マイクロ制御器は、温度信号に基づき、フィールドエフェクト管のオンまたはオフを制御する。本考案の発光ダイオード制御回路は、温度センサ、マイクロ制御器およびフィールドエフェクト管によって発光ダイオードに対して輝度制御を行い、その構造は簡単で、占有空間が小さく、コストが低い。【選択図】図１
0003146976.tif 000002
【実用新案登録請求の範囲】
【請求項１】
発光ダイオード及び発光ダイオードと相互に接続するフィールドエフェクト管を有する発光ダイオード回路と、
マイクロ制御器とマイクロ制御器と相互に接続し、発光ダイオード付近に設置される温度センサを有し、該マイクロ制御器と前記フィールドエフェクト管は相互に接続し、フィールドエフェクト管を制御し、前記温度センサは、発光ダイオードの温度をセンサし、その後、温度信号をマイクロ制御器に伝送し、マイクロ制御器は、温度信号に基づき、フィールドエフェクト管のオンまたはオフを制御する制御回路と、
を含む発光ダイオード制御回路。
【請求項２】
前記制御回路が音声制御回路に接続し、該音声制御回路がオーディオ信号採集端を有する請求項１記載の発光ダイオード制御回路。
【請求項３】
前記マイクロ制御器が手動スイッチに接続する請求項１記載の発光ダイオード制御回路。
【請求項４】
前記発光ダイオードの一端が変圧回路に接続する請求項１記載の発光ダイオード制御回路。
【請求項５】
前記変圧回路と発光ダイオードとの間に定流源を接続する請求項１記載の発光ダイオード制御回路。
【請求項６】
前記発光ダイオードが３個あり、該３個の発光ダイオードがそれぞれ、赤色、緑色、青色を発出することができる請求項１記載の発光ダイオード制御回路。
【考案の詳細な説明】
【技術分野】
【０００１】
本考案は、制御回路に関し、特に、発光ダイオード制御回路に関する。
【背景技術】
【０００２】
従来の電気製品は、その動作状態インジケータまたは照明ランプとして広く発光ダイオードを使用している。従来の発光ダイオードの輝度の制御は、通常、電流制御法を採用し、即ち、発光ダイオードの電流の変化を介して発光ダイオードの輝度に対する制御を実現する。
【０００３】
図２、図３に示すように、中国専利出願番号200710002657の専利出願は、電流制御法を利用し発光ダイオードの輝度に対して制御を行う補償回路を公開しており、そのうち、基準電圧発生器１００’は、第１基準電圧Ｖｒｅｆ１を発生することに用い、正方向電圧検出器５００’は、発光ダイオード光源４００’の正方向電圧Ｖｆをモニタリングすることに用い、正方向電圧Ｖｆを非反転増幅ユニット２００’に提供し、非反転増幅ユニット２００’は、所定の増幅器を使用し、第１基準電圧Ｖｒｅｆ１と正方向電圧Ｖｆの間の電圧差に対して非反転増幅を行い、非反転増幅後の電圧差と限流器６００’（図３に示す）の第２基準電圧に比較を行い、最後に、適合した電圧を駆動ユニット３００’に提供し、それにより、駆動ユニット３００’の電源電圧を制御し、発光ダイオードの輝度の制御を実現する。
【０００４】
しかしながら、上記回路構造は複雑であり、且つ占有空間が大きく、コストが高く、電子製品の小型化及びコスト低減の要求に適合していない。
【特許文献１】中国専利出願番号200710002657号明細書
【考案の開示】
【考案が解決しようとする課題】
【０００５】
本考案の目的は、上記背景技術に存在する欠陥に対して構造が簡単で、占有空間が小さく、且つコストが低い発光ダイオード制御回路を提供することである。
【課題を解決するための手段】
【０００６】
上記の目的を実現する為、本考案が提供する発光ダイオード制御回路は、発光ダイオード回路と制御回路を含む。発光ダイオード回路は、発光ダイオード及び発光ダイオードと相互に接続するフィールドエフェクト管を有する。制御回路は、マイクロ制御器とマイクロ制御器と相互に接続し、発光ダイオード付近に設置される温度センサを有し、該マイクロ制御器と前記フィールドエフェクト管は相互に接続し、フィールドエフェクト管を制御し、前記温度センサは、発光ダイオードの温度をセンサし、その後、温度信号をマイクロ制御器に伝送し、マイクロ制御器は、温度信号に基づき、フィールドエフェクト管のオンまたはオフを制御する。
すなわち、本考案は下記の特徴を有する。
（１）発光ダイオード及び発光ダイオードと相互に接続するフィールドエフェクト管を有する発光ダイオード回路と、
マイクロ制御器とマイクロ制御器と相互に接続し、発光ダイオード付近に設置される温度センサを有し、該マイクロ制御器と前記フィールドエフェクト管は相互に接続し、フィールドエフェクト管を制御し、前記温度センサは、発光ダイオードの温度をセンサし、その後、温度信号をマイクロ制御器に伝送し、マイクロ制御器は、温度信号に基づき、フィールドエフェクト管のオンまたはオフを制御する制御回路と、
を含む発光ダイオード制御回路。
（２）前記制御回路が音声制御回路に接続し、該音声制御回路がオーディオ信号採集端を有する（１）記載の発光ダイオード制御回路。
（３）前記マイクロ制御器が手動スイッチに接続する（１）記載の発光ダイオード制御回路。
（４）前記発光ダイオードの一端が変圧回路に接続する（１）記載の発光ダイオード制御回路。
（５）前記変圧回路と発光ダイオードとの間に定流源を接続する（１）記載の発光ダイオード制御回路。
（６）前記発光ダイオードが３個あり、該３個の発光ダイオードがそれぞれ、赤色、緑色、青色を発出することができる（１）記載の発光ダイオード制御回路。
【考案の効果】
【０００７】
上記のように、本考案の発光ダイオード制御回路は、温度センサによって発光ダイオードの温度をセンサした後、温度信号をマイクロ制御器に伝送し、マイクロ制御器は、温度信号に対して、分析判断を行い、それにより、フィールドエフェクト管をオンまたはオフを制御し、発光ダイオードの平均電流を制御し、発光ダイオードの輝度に対する制御を実現し、上記従来技術の発光ダイオード制御回路中の構造が複雑で、体積が大きい非反転増幅ユニットと限流器等の部材を必要としないので、本考案の発光ダイオード制御器回路構造は、相対的に簡単であり、且つ占有空間が小さく、コストが低い。
【考案を実施するための最良の形態】
【０００８】
本考案の技術的内容、構造の特徴、達成する目的及び効果を詳細に説明する為、以下に実施例を挙げ、図面に併せて詳細に説明する。
【０００９】
図１に示すように、本考案の発光ダイオード制御回路１は、変圧回路１０と、発光ダイオード２０と、制御回路３０と、音声制御回路４０と、を含む。
【００１０】
変圧回路１０は、変圧モジュールＵ６およびフィルタとして用いるキャパシタＣ１，Ｃ２，Ｃ４を含む。変圧モジュールＵ６は、電源Ｖｃｃと接続し、電源Ｖｃｃは、変圧モジュールＵ６を介して変圧した後、キャパシタＣ２，Ｃ４のフィルタリングを介し、発光ダイオード２０、制御回路３０および音声制御回路４０に電力を供給する。
【００１１】
発光ダイオード回路２０は、３本の並列する経路を含み、第１経路は、順に、直列する定流源Ｕ１、抵抗Ｒ１、赤色ダイオードＤ１およびフィールドエフェクト管Ｑ１を含む。第２経路は、順に直列する定流源Ｕ２、抵抗Ｒ２、緑色ダイオードＤ２およびフィールドエフェクト管Ｑ２を含む。第２経路は、順に直列する定流源Ｕ３、抵抗Ｒ３、青色ダイオードＤ３およびフィールドエフェクト管Ｑ３を含む。そのうち、定流源Ｕ１，定流源Ｕ２，定流源Ｕ３の一端は、変圧回路１０と接続し、本実施例中、フィールエフェクト管Ｑ１，Ｑ２，Ｑ３は、何れもＮ溝路増強型金属酸化物フィールドエフェクト管であり、且つドレインが相応する発光ダイオードと接続し、ソースが接地される。
【００１２】
定流源Ｕ１，Ｕ２，Ｕ３は、それぞれ相応する経路が安定した電流を提供し、且つそれぞれ相応する抵抗Ｒ１，Ｒ２，Ｒ３を介して分圧した後、相応する発光ダイオードに電力を供給する。前記赤色ダイオードＤ１、緑色ダイオードＤ２、青色ダイオードＤ３は、１つに設置され、発光ダイオードモジュールを形成し、電流が前記赤色ダイオードＤ１、緑色ダイオードＤ２、青色ダイオードＤ３を介する時、それぞれ赤色、緑色、青色を発出する。また、発光時間の増加に基づく、赤色ダイオードＤ１、緑色ダイオードＤ２、青色ダイオードＤ３の温度上昇速度は異なる。本実施例中、電流が前記発光ダイオード組を経過する時、赤色ダイオードＤ１の温度上昇速度は、緑色ダイオードＤ２の温度上昇速度に比べて速く、緑色ダイオードＤ２の温度上昇速度は、青色ダイオードＤ３の温度上昇速度に比べて速い。
【００１３】
前記制御回路３０は、マイクロ制御器Ｕ４及びマイクロ制御器Ｕ４と接続し、発光ダイオード付近に設置される数字型の温度センサＴＨを有する。本実施例中、該マイクロ制御器Ｕ４は、１〜８番のピンを有する単片機（single chip computer）であり、そのうち、１番ピンは、変圧回路１０と接続し、変圧回路１０中から供給電圧を得て、２番ピンは、前記フィールドエフェクトＱ１のゲートと接続し、３番ピンは、音声制御回路４０と接続し、４番ピンは、手動スイッチＳＷ１に接続し、５番ピンは、フィールドエフェクト管Ｑ３のゲートと接続し、６番ピンは、フィールドエフェクト管のゲートと接続し、７番ピンは、温度センサＴＨと接続し、８番ピンは、接地される。  
【００１４】
前記温度センサＴＨの一端は、接地される。温度センサＴＨは、発光ダイオード組の温度をセンサした後、温度信号を発生し、温度信号をマイクロ制御器Ｕ４に伝送し、マイクロ制御器Ｕ４は、温度センサＴＨが伝達した温度信号の順序に基づき、それぞれ２番ピン、６番ピンまたは５番ピンに高レベルまたは低レベルを出力し、フィールドエフェクト管Ｑ１，Ｑ２，Ｑ３のオン又はオフを制御し、それにより赤色ダイオードＤ１、緑色ダイオードＤ２、青色ダイオードＤ３の平均電流に対する制御を実現し、最終的に発光ダイオードの輝度の制御を実現する。
【００１５】
例えば、発光ダイオード組が一定時間動作した後、赤色ダイオードＤ１が温度上昇し、その抵抗と発光輝度が増大し、この時、マイクロ制御器Ｕ４は、温度センサＴＨを介して発光ダイオードの温度が所定値より高いのを最初にセンサし、それにより高温に相応する温度信号を発生し、該温度信号をマイクロ制御器Ｕ４に伝送し、マイクロ制御器Ｕ４は、２番ピンに系列の高低レベル信号を出力し、フィールドエフェクト管Ｑ１に途切れずにオンとオフの状態に位置させ、赤色ダイオードＤ１の平均電流を制御し、該平均電流を固定値とし、最終的に赤色ダイオードＤ１の輝度の制御を実現する。フィールドエフェクトＱ１が途切れずにオンとオフの状態に位置する時、人の目は、基本的に赤色ダイオードＤ１のフラッシュを見分けることができない。
【００１６】
温度センサＴＨが２回目または３回目に発光ダイオード組の温度が所定値より高くなるのをセンサする時、マイクロ制御器Ｕ４は、それぞれ緑色ダイオードＤ２と青色ダイオードＤ３の平均電流を制御し、緑色ダイオードＤ２と青色ダイオードＤ３の輝度に対する制御を実現する。温度センサＴＨが４回目及び以降に発光ダイオード組の温度が設定値より高くなるのをセンサする時、マイクロ制御器Ｕ４が同時に赤色ダイオードＤ１、緑色ダイオードＤ２、青色ダイオードＤ３の電流に対して制御を行い、方法は、赤色ダイオードに対する制御と同一であり、ここでは再度記載しない。
【００１７】
音声制御回路４０は、トランジスタ管Ｑ５、抵抗Ｒ４、Ｒ５，Ｒ６，Ｒ７、キャパシタＣ５およびオーディオ信号採集端ｐｈｏｎｅ＿ｉｎを含む。トランジスタＱ５のエミッタは、接地され、コレクタは、マイクロ制御器Ｕ４の３番ピンと接続し、ベースは、キャパシタＣ５を介してオーディオ信号採集端ｐｈｏｎｅ＿ｉｎと接続する。抵抗Ｒ４の一端は、変圧回路１０と接続し、もう一端は、キャパシタＣ５と接続する。抵抗Ｒ５の一端は、変圧回路１０の出力端と接続し、もう一端は、キャパシタＣ５のトランジスタＱ５から遠く離れたコレクタの一端と接続する。トランジスタＲ６の一端は、変圧回路１０の出力端と接続し、もう一端は、トランジスタＱ５のコレクタの一端と接続する。抵抗Ｒ７の一端は、キャパシタＣ５のトランジスタＱ５から遠く離れたコレクタの一端に接続し、もう一端が接地される。
【００１８】
オーディオ信号採集端ｐｈｏｎｅ＿ｉｎがオーディオ信号を採集する時、トランジスタＱ５のベース電位が高くなり、それにより、トランジスタＱ５のコレクタは、マイクロ制御器Ｕ４の３番ピンに低レベル信号を発出し、マイクロ制御器Ｕ４は、３番ピンの低レベル信号の持続時間に基づき、２番ピン、５番ピン、６番ピンのレベルを制御し、それぞれ、赤色ダイオードＤ１、緑色ダイオードＤ２、青色ダイオードＤ３の制御を実現し、発光ダイオードを組み合わせ多種の異なる色彩を発出する。例えば、任意の３秒内でオーディオ信号採集端ｐｈｏｎｅ＿ｉｎが１秒以内持続するオーディオ信号を採集する時、マイクロ制御器Ｕ４の制御を介して赤色ダイオードＤ１に対して消滅させ、緑色ダイオードＤ２と青色ダイオードＤ３の発光を保持し、それにより、１種の色彩を合成する。オーディオ信号採集端ｐｈｏｎｅ＿ｉｎが２秒以内持続するオーディオ信号を採集する時、マイクロ制御器Ｕ４の制御を介して緑色ダイオードＤ２に対して消滅させ、赤色ダイオードＤ１と青色ダイオードＤ３の発光を保持し、それにより、もう１種の色彩を合成する。本実施例中、マイクロ制御器Ｕ４のオーディオ信号持続時間に対する計算は、マイクロ制御器Ｕ４内の指令周期時間を計算し実現する。手動スイッチＳＷ１は、マイクロ制御器Ｕ４の４番ピンのレベルに対して制御を行うことができ、それにより、マイクロ制御器Ｕ４に対して復位操作を行う。
【００１９】
上記のように、本考案の発光ダイオード制御回路１は、温度センサＴＨおよびマイクロ制御器Ｕ４により背景技術中の常用の非反転増幅ユニット、正方向電圧検出器および源流器等の大面積モジュール回路に置き換え、それにより、本考案の発光ダイオード制御回路１は、構造が簡単で、占有空間が小さく、コストが低い。
【００２０】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。例えば、前記単片機がその他のマイクロ制御器であることができ、温度センサおよび発光ダイオードは、対応して１組または複数組接地することができる等である。
【図面の簡単な説明】
【００２１】
【図１】本考案の発光ダイオード制御回路の実施例の回路原理図である。
【図２】従来の発光ダイオード制御回路の実施例の回路原理図である。
【図３】図２に示す発光ダイオード制御回路の限流器の回路原理図である。
【符号の説明】
【００２２】
１  発光ダイオード制御回路
１０  変圧回路
２０  発光ダイオード回路
３０  制御回路
４０  音声制御回路
Ｑ５  トランジスタ管
Ｕ４  マイクロ制御器
ＳＷ１  手動スイッチ
Ｖｃｃ  電源
Ｕ６  変圧モジュール
ＴＨ  温度センサ
Ｄ１  赤色ダイオード
Ｄ２  緑色ダイオード
Ｄ３  青色ダイオード
ｐｈｏｎｅ＿ｉｎ  オーディオ信号採集端
Ｑ１，Ｑ２，Ｑ３  フィールドエフェクト管
Ｕ１，Ｕ２，Ｕ３  定流源
Ｃ１，Ｃ２，Ｃ３，Ｃ４，Ｃ５  キャパシタ
Ｒ１、Ｒ２，Ｒ３，Ｒ４，Ｒ５，Ｒ６，Ｒ７  抵抗
【図１】
0003146976.tif 000003
【図２】
0003146976.tif 000004
【図３】
0003146976.tif 000005